(57)【要約】【課題】払拭部材や塗装具として使用されるローラーにおいて、ローラーの回転・停止制御機構が作用して、効率良く作業できるローラーを提供すると同時に、着脱自在に繰り返し使用できるディスポーザブルな払拭材を提案する。【解決手段】ハンドルに連結した回転可能に支持する支持軸に装着されたローラーであって、液体不浸透性芯材に基布を巻着または管状体を被覆した構造であり、さらに回転・停止制御が可能なストッパ機構を有することを特徴とするローラー。【選択図】図２
2004148223.tif 000002
【特許請求の範囲】
【請求項１】
ハンドルに連結した回転可能に支持する支持軸に装着されたローラーであって、液体不浸透性芯材に基布を巻着または管状体を被覆した構造であり、さらに回転・停止制御が可能なストッパ機構を有することを特徴とするローラー。
【請求項２】
上記ストッパ機構において、ローラーの回転を停止させる構造が、以下の１）〜４）のいずれかであることを特徴とする請求項１記載のローラー。
１）液体不浸透性芯材の少なくとも一方の端部に歯車状の切り込みがなされた構造であること、
２）液体不浸透性芯材が液体不浸透性の筒体で被覆され、さらに液体不浸透性芯材を被覆した液体不浸透性の筒体が管状体で被覆され、そして該管状体の少なくとも一方の端部に歯車状の切り込みがなされた構造であること、
３）ハンドルに連結した液体不浸透性芯材を回転可能に支持する支持軸挿入口に、放射状に溝が刻まれた構造であること、
４）ハンドルに連結した液体不浸透性芯材を回転可能に支持する支持軸挿入口に、放射状に溝が刻まれた円盤型装着物を固定した構造であること、
【請求項３】
最表面が主に極細繊維で構成されるパイル地またはカットパイル基布が巻着されるか、あるいは主に極細繊維で構成されるモール糸からなる管状体で被覆された請求項１または２に記載のローラー。
【請求項４】
請求項１〜３のいずれか１項に記載のローラーからなる塗装具または払拭材。
【発明の詳細な説明】
【０００１】
【発明の属する技術分野】
本発明は、回転・停止制御が可能なローラーを提供するものであって、塗装具および払拭材として利用可能なローラーに関する。
【０００２】
【従来の技術】
従来、回転可能に支持する支持軸に塗装用ローラーを装着し、かつ回転・停止操作が行えるストッパ機構が装着された支持体を有するハンドルは、床面や壁面塗装のペイントローラー用として市販されている。例えば、ローラーの回転を止めるためのストッパがハンドルの支持体部に付属的に取り付けることができ、ストッパが作用した場合、管状体の回転を停止することができる構造のストッパ付き塗装用ローラーがある（例えば、特許文献１または特許文献２参照。）。
また、上記と同様の目的とするローラーとして、塗装具にストッパを有するローラーがある（例えば、特許文献３参照。）。
しかしながら、これらのローラーは停止機能はあるものの、停止位置を決めることができず、作業効率性が良くないという問題があった。
【０００３】
また従来、ビルの床面や一般家庭におけるフローリング敷きの汚れた表面を払拭するための構造を有する払拭部材は数多く提案されている。それらの中で最も一般的に使用されているものとしては、長く延びたシャフトの下端面に固定された基体に払拭部材としてベロア地を固定した構成または紐を房状の集合体として固定した構成のモップがある。これらモップの通常の使用方法は払拭部材を、洗浄剤を溶解した液体に濡らして清掃作業を行う場合と乾燥した状態で清掃作業を行う場合とがあるが、近年、乾燥した状態でも清掃作業が可能となった極細繊維を払拭部材として利用する商品も多く見受けられるようになり、近年はビルなどの公共施設のみならず一般家庭においてもモップの使用が広く普及されている。特に、払拭部材が不織布製の簡易モップで構成される、ディスポーザブル商品の普及率が高く、例えば不織布を平坦な基体に設けられたギザギザの切り込み口に押し込んで係止するタイプのモップや、紙や不織布のような薄手の払拭シートを弾性素材で形成された円柱状の基体に止着棒により係止して皺や弛み等が生じなくして適度に緊張させるように巻きつけるタイプのモップが提案されている（例えば、特許文献４参照。）。
また、払拭部材のみを基体から取り外して洗浄することにより繰り返し使用するレンタルモップも広く普及している。レンタルモップにおいても、払拭部材と基体との係止方法としては上記のような係止方法や、面ファスナーによる係止方法が使用されている。
【０００４】
一方、繊維製敷物の表面に付着して、さらに構成繊維間に絡みついた髪の毛やペットの毛等の繊維状ダストを払拭する清掃用具として、着塵用の粘着剤を塗布した粘着紙をロールに巻き付けたロール式のものがあり、着塵面が汚れるたびに粘着紙を剥離して使用できる商品も数多く市販されている。しかしながら、従来のベロア地や紐を房状の集合体としたモップのような払拭部材においては、使用方法が湿潤状態、乾燥状態に関わらず、払拭部材に連結されたシャフトの先端の把手を持って前方に押して前進させたり、後方に引いて後退させることにより床表面に付着した汚れを清掃するが、このような清掃操作においては汚れが払拭部材に吸着する部分は払拭部材中における周辺部であって、払拭部材中央部には吸着し難く、したがって清掃時に払拭部材が効率良く機能していないという問題点があった。
さらに、粘着紙を使用したロール状の払拭部材においては、本来除去したい繊維状塵埃以外の細かな繊維状塵埃がロールの回転とともに付着してしまって、すぐに吸着できなくなってしまい、新たに粘着紙をロールから引き出して使用しなければならず、経済的ではない。循環型社会の到来において、このような問題点が解決できるディスポーザブル商品は注目されており、繰り返し長く使用できる商品が望まれている。
【０００５】
【特許文献１】
特開２００２−２８２７６７号公報
【特許文献２】
特開２００２−２８２７６９号公報
【特許文献３】
特開平９−２０６６６１号公報
【特許文献４】
特開平９−０４７４１７号公報
【０００６】
【発明が解決しようとする課題】
本発明は上記の問題点に鑑み、払拭部材や塗装具として使用されるローラーにおいて、ローラーの停止位置を間断的に操作し制御することを可能とすることにより、払拭作業や塗装作業が効率良く行うことができるローラーを提供するものである。さらに本発明は着脱自在に繰り返し使用できるディスポーザブルな払拭材を提案するものである。
【０００７】
【課題を解決するための手段】
即ち、本発明はハンドルに連結した回転可能に支持する支持軸に対して装着されたローラーであって、液体不浸透性芯材に基布を巻着または管状体を被覆した構造であり、さらに回転・停止制御が可能なストッパ機構を有することを特徴とするローラーであり、好ましくは上記ストッパ機構において、ローラーの回転を停止させる機能が、以下の１）〜４）のいずれかを満足する上記のローラーである。
１）液体不浸透性芯材の少なくとも一方の端部に歯車状の切り込みがなされた構造であること、
２）液体不浸透性芯材が液体不浸透性の筒体で被覆され、さらに液体不浸透性芯材を被覆した液体不浸透性の筒体が管状体で被覆され、そして該管状体の少なくとも一方の端部に歯車状の切り込みがなされた構造であること、
３）ハンドルに連結した液体不浸透性芯材を回転可能に支持する支持軸挿入口に放射状に溝が刻まれた構造であること、
４）ハンドルに連結した液体不浸透性芯材を回転可能に支持する支持軸挿入口に、放射状に溝が刻まれた円盤型装着物を固定した構造であること、
そして、本発明はより好ましくは最表面が主に極細繊維で構成されるパイル地またはカットパイル基布が巻着されるか、あるいは主に極細繊維で構成されるモール糸からなる管状体で被覆された上記のローラーである。
さらに本発明は上記のローラーからなる塗装具または払拭材に関する。
【０００８】
【発明の実施の形態】
本発明のローラーは停止位置を間断的に操作することが可能な塗装具または払拭材として使用することができる。例えば塗装作業を行う場合、塗装する範囲を自由に制御して塗装を行うことが可能となり、一方払拭作業を行う場合、表面が汚れる毎にローラーを回転させて新たな払拭面を形成させることにより、効率良く作業を進めることができる点に特徴を有する。
以下に本発明を図面を用いて詳細に説明する。
図１は本発明に使用可能なローラー用ハンドルを示す。ローラー用ハンドル本体は柄１と支持軸２および固定部３から構成される。
図２は本発明のローラーの一例を示す斜視図である。液体不浸透性芯材４にカットパイル地５が巻着されて、液体不浸透性芯材４のローラー用ハンドル本体の固定部３側に歯車状の溝部６が形成され、そして液体不浸透性芯材４が固定部３に把持されて、回転・停止制御が可能なストッパ機構が作用している状態を示す。ローラーを回転させるためには固定部３を溝部６から引き離すようにすることで自由に回転することができ、逆に溝部６に固定部３にはめ込むことによりローラーを停止させることができる。なお、図２では、溝部の形状は凹凸状のようになっているが、歯車形状になっていればよく、特に限定されるものではない。また溝部の数、間隔も何等限定されない。
【０００９】
図３も本発明のローラーの一例を示す斜視図であるが、図２とは異なり、液体不浸透性芯材４にカットパイル地５が巻着され、液体不浸透性芯材４と連結しているローラー用ハンドル本体の固定部３側の支持軸挿入口８に放射状に刻まれた溝部７が形成され、そして液体不浸透性芯材４が固定部３に把持されて回転・停止制御が可能なストッパ機構が作用している状態を示す。また、図３の場合においても、ローラーを回転させるためには固定部３を溝部７から引き離すようにすることで自由に回転することができ、逆に溝部７に固定部３にはめ込むことによりローラーを停止させることができる。なお、図３においても溝部の形状は放射状になっていればよく、また数、間隔においても特に限定されるものではない。
【００１０】
図４は本発明のローラーの一例を示す正面図である。
ローラー用ハンドルの支持軸２に回転するように装着された液体不浸透性芯材９に巻着された液体不浸透性の筒体１０にモール糸１２からなる管状体１１を被覆したローラーであり、管状体１１のローラー用ハンドル固定部３側に形成された歯車状の溝１３に固定部３が把持されて回転・停止制御が可能なストッパ機構が作用している状態を示す。図４の場合においても、ローラーを回転させるためには固定部３を溝部１３から引き離すようにすることで自由に回転することができ、逆に溝部１３に固定部３にはめ込むことによりローラーを停止させることができる。さらに、図４においても溝部は歯車状になっていれば形状は特に制限はなく、また数、間隔も特に限定されるものではない。また、管状体１１の断面は円形であることが必須ではなく、三角、四角等の多角形の筒体であってもよい。
【００１１】
図２〜４におけるカットパイル地５あるいはモール糸１２は極細繊維で構成されることが好ましい。構成する極細繊維としては、２種以上の互いに非相溶性の繊維形成性熱可塑性重合体が組み合わされてなる分割複合繊維、あるいは易溶出性成分と難溶出性成分によって構成され、易溶出成分を溶出し難溶出成分が複数個に分割された形態の分割型複合繊維を用いることが好ましい。構成する繊維については特に制限はなく、ポリエステル、ナイロン、ポリプロピレン、ビニロン、エチレンービニルアルコール系共重合体繊維などが挙げられる。かかる分割型複合繊維の断面形状としては、一般的に分割型複合繊維として知られたものを用いることができ、その断面形状は平板型、花弁型、放射型、くさび型など種々のものを併用することができる。特に本発明のように、塗装具または払拭材として用いる場合は分割後の断面が扁平となるようなサイドバイサイド型に接合している分割型複合繊維が塗装性あるいは拭き取り性の点でより好ましい。
また該極細繊維の単繊維繊度は０．１〜１．０ｄｔｅｘであることが好ましい。極細繊維の単繊維繊度が０．１ｄｔｅｘを下回ると塗装時あるいは拭き取り時に単繊維が切断されて塗装面あるいは被洗浄面に毛羽を残すことになる。また逆に１．０ｄｔｅｘを上回ると塗装性あるいは拭き取り性が不十分となる。好ましくは０．２〜０．５ｄｔｅｘである。
【００１２】
図５は本発明のローラーへの装着部材の一例を示す斜視図である。図５は  図４で示したローラーへの装着部材である管状体１１のみの斜視図である。なお、溝１３の形状は特に限定するものではなく、数、間隔も限定されるものではない。
図６は本発明のローラーへ装着する円盤状装着物の一例を示す正面図である。円盤状装着物１４の片面には放射線状に溝が刻まれている状態を示す。溝部１５はローラー用ハンドル固定部３がはまり込む程度であれば特に深さは限定されるものではなく、また、数、間隔も限定されるものではない。
【００１３】
本発明のように、回転・停止制御が可能なストッパ機構を有するローラーからなる塗装具または払拭具を使用することにより、塗装作業あるいは払拭作業を効率良く行うことができる。
また本発明のローラーは着脱自在に繰り返し使用できるディスポーザブルな払拭材としても使用可能である。
【００１４】
【実施例】
以下、本発明を実施例によりさらに詳細に説明するが、本発明はこれら実施例に何ら限定されるものではない。
【００１５】
実施例１
図５に示すような、内径３５ｍｍ、外径３９ｍｍ、長さ１９０ｍｍで、片端の歯車状の切り込みが山部５ｍｍ、谷部６ｍｍ、深さ６ｍｍである８山を構成するポリプロピレン製管状体を作製し、市販のペイントローラー（大塚刷毛製造株式会社製「ミドルローラーＢ」）の表面に上記のポリプロピレン製管状体を被覆し、さらに円周が１１０ｍｍ、長さ２２０ｍｍであり、６−ナイロンとポリエチレンテレフタレートからなる分割型複合繊維で構成された単繊維繊度が０．５ｄｔｅｘの極細繊維からなるモール製管状編地を被覆した。
これに市販のペイントローラー用ハンドルを差し込んで払拭用ローラーを得た。このようにして得られた払拭用ローラーは回転・停止制御が可能であるので、従来市販されている払拭用ローラーに比べて払拭作業効率が向上した。
【００１６】
実施例２
市販のペイントローラー（大塚刷毛製造株式会社製「ミドルローラーＢ」）を準備し、２箇所に直径が２ｍｍの穴を開けた。
次いで、ハンドル差込口として直径７ｍｍ、外径３２ｍｍ、厚み９ｍｍのポリプロピレン製円盤上に幅７ｍｍ、深さ６ｍｍの溝が形成された、図６に示すようなポリプロピレン製円盤を準備した。なお、前記円盤の裏面に２箇所の凸部が形成されている。
上記市販のペイントローラーに開けられた穴と図６に示すような円盤の裏面に形成された凸部とを重ね合わせて固定することにより塗装用ローラーを得た。このようにして得られた塗装用ローラーは回転・停止制御が可能であるので、従来市販されている塗装用ローラーに比べて塗装作業効率が向上した。
【００１７】
実施例３
実施例１で作製したポリプロピレン製管状体表面に接着剤を塗布し、実施例１で用いたモール製環状編地を被覆して固定して、塗装用ローラーを得た。このようにして得られた塗装用ローラーもまた実施例１と同様、回転・停止制御が可能であり、従来市販されている塗装用ローラーに比べて塗装作業効率が向上した。
【００１８】
実施例４
市販のペイントローラー（大塚刷毛製造株式会社製「ミドルローラーＢ」）を準備し、ハンドル差込口の中心を通る幅７ｍｍ、深さ５ｍｍの放射状の溝を４箇所作製し、ハンドル差込口にハンドルを差し込んで図３に示すような塗装用ローラーを得た。このようにして得られた塗装用ローラーは回転・停止制御が可能であり、従来市販されている塗装用ローラーに比べて塗装作業効率が向上した。
【００１９】
実施例５
実施例１において、モール製管状編地の替わりに塵取り用粘着テープ（花暦ホームプロダクツ製「粘式カーペットクリーナー用スペアテープ」）を被覆して粘着式の塵取り用ローラーを得た。このようにして得られた粘着式の塵取り用ローラーは回転・停止制御が可能であり、しかも従来の粘着紙を利用したロール状の払拭部材とは異なり、繰り返し使用できるディスポーザブルなものとなった。
【００２０】
【発明の効果】
本発明の、回転・停止制御が可能なストッパ機構を有するローラーからなる塗装具または払拭具を使用することにより効率的な清掃作業と塗装作業が可能となる。また、粘着式の払拭用ローラーとした場合、繰り返し使用が可能となり、コスト低減が図れる。
【図面の簡単な説明】
【図１】本発明のローラー用ハンドルの一例を示す図
【図２】本発明の塗装用または払拭用ローラーの一例を示す斜視図
【図３】本発明の塗装用または払拭用ローラーの一例を示す斜視図
【図４】本発明の塗装用または払拭用ローラーの一例を示す正面図
【図５】本発明のローラーへの装着部材である管状体の一例を示す斜視図
【図６】本発明のローラーへ装着する円盤状装着物の一例を示す正面図
【符号の説明】
１：柄
２：支持軸
３：固定部
４：液体不浸透性芯材
５：カットパイル地
６：歯車状溝部
７：放射状に刻まれた溝部
８：支持軸挿入口
９：液体不浸透性芯材
１０：筒体
１１：管状体
１２：モール糸
１３：溝
１４：円盤状装着物
１５：溝
【図１】
2004148223.tif 000003
【図２】
2004148223.tif 000004
【図３】
2004148223.tif 000005
【図４】
2004148223.tif 000006
【図５】
2004148223.tif 000007
【図６】
2004148223.tif 000008